(57)【要約】【課題】冷却器に霜が付着しても冷却性能を維持できる冷蔵庫を提供することを目的とする。【解決手段】冷凍室２と冷蔵室３と、冷却室１１と、冷却室１１内に収納される冷却器４と冷却ファン５とを備え、冷凍室２を冷却した戻り空気を冷却器４前面下部から、冷蔵室３を冷却した戻り空気を冷却器４の側面から吸い込む構成において、冷却器４の前面及び背面にバイパス風路を設けた冷蔵庫であり、冷却器４の目詰まりを防ぎ、冷蔵庫の冷却性能低下を抑制することができ、冷却性能の高い冷蔵庫とすることができる。【選択図】図１
2018091622.tif 000002
【特許請求の範囲】
【請求項１】
冷蔵温度帯の冷蔵室と、冷凍温度帯の冷凍室と、前記冷凍室内に設けた冷却室と、前記冷却室内に収納される冷却器と冷却ファンと、前記冷却ファンによる冷気を前記冷凍室に吐出する冷凍吐出風路と、前記冷凍室を冷却した戻り空気を前記冷却器前面下部から吸い込むべく前記冷却室の前面に構成した冷凍戻り風路と、前記冷却ファンによる冷気を前記冷蔵室に吐出する冷蔵吐出風路と、前記冷蔵室を冷却した戻り空気を前記冷却器の側面で前記冷却器の高さ方向の中央より下方から吸い込むべく前記冷却室の側面に構成した冷蔵戻り風路とを備えるとともに、前記冷却器の下端から前記冷却器の高さ方向の中央より上方まで前記冷却室と前記冷却器の間に隙間を構成したバイパス風路を前記冷却器の前面及び背面に備えたもので、前記冷却器は、上下方向に分割したフィンと配管とを備え、前記バイパス風路の上端部は分割して独立した前記フィンの高さ方向の略中央とし、前記冷凍室からの戻り空気は、前記冷却器の前面側のバイパス風路を流れ、前記冷蔵室からの戻り空気は、前記冷却器の背面側のバイパス風路を流れ、前記冷却器の背面側のバイパス風路の高さ寸法が前記冷却器の前面側のバイパス風路の高さ寸法よりも大きく、前記冷却器の背面側のバイパス風路の奥行寸法が前記冷却器の前面側のバイパス風路の奥行寸法よりも大きいことを特徴とする冷蔵庫。
【発明の詳細な説明】
【技術分野】
【０００１】
本発明は、冷却器の前面及び側面から冷凍室及び冷蔵室を冷却した戻り空気を吸い込む構成の冷却室を備えた冷蔵庫に関するものである。
【背景技術】
【０００２】
図４は従来の冷蔵庫の断面図、図５は従来の冷蔵庫の冷凍室の断面図、図６は従来の冷蔵庫の冷凍室の正面図である。
【０００３】
図４、図５、図６に示すように、冷蔵庫１０１は、断熱箱体により構成され、−２０℃前後に温度維持された冷凍室１０２と、５℃前後に温度維持された冷蔵室１０３及び冷凍室１０２背部に構成され、内部に例えば蛇行した配管１０４ａと、配管と直交するように設けられた複数の上下に分割した板状のフィン１０４ｂを備えた冷却器１０４と冷却ファン１０５を収納した冷却室１０６を備え、冷却器１０４で生成した冷気を冷却ファン１０５によって冷凍室１０２の背面の冷凍吐出風路１０７から冷凍室１０２内に吹き出し、収納されている貯蔵物を冷却するように構成されている。
【０００４】
貯蔵物を冷却した冷気は、矢印に示すように、冷凍室１０２の前方上部に至り、扉の内壁面と収納ケースの前面との空間、さらに収納ケースの底面と貯蔵室底壁との空間などを通って冷凍戻り風路１０８から冷却器１０４に戻る循環を行っている。また、冷却器１０４で生成した冷気は冷却ファン１０５によって冷凍室１０２の上側に構成した冷蔵室１０３へ冷蔵吐出風路１０９を通って吐出される。冷蔵室１０３へ吐出された冷気は、冷蔵室内を循環した後、冷却器１０４の側面に配置された冷蔵戻り通路１１０を通って冷却器１０４側面下部から冷却器１０４に戻る循環を行う。これにより、冷凍室１０３からの戻り空気は冷却器１０４の下部から前面側へ、冷蔵室１０４からの戻り空気は冷却器１０４の下部の側面側から背面側へ流れる構成となる（例えば、特許文献１参照）。
【先行技術文献】
【特許文献】
【０００５】
【特許文献１】特許第３４５４１０２号公報
【発明の概要】
【発明が解決しようとする課題】
【０００６】
しかしながら、上記従来の構成では、使用者が貯蔵物を出し入れする際に扉を開閉し、各室内の空気よりも湿度の高い外気が庫内に侵入して戻り空気の湿度が高くなる。そして湿度が高い戻り空気が冷却器１０４を通過する際に冷却器１０４に水分が凝縮、凍結し、霜として付着する。そして外気の湿度が高い時などに扉の開閉頻度が高くなると、フィン１０４ｂの間の霜が成長し、目詰まりを起こし、冷却ファン１０５による風量が極端に低下して冷却性能が低下してしまう。
【０００７】
本発明は、上記従来の課題を解決するものであり、霜が付着する面積を大きくし、もし霜が付着しても目詰まりしにくい構成とし、冷却性能が低下しない冷蔵庫を提供することを目的とする。
【０００８】
また、扉の開閉頻度は一般的に冷凍室１０２よりも冷蔵室１０３が多く、冷蔵室１０３からの戻り空気の湿度の方が高くなり、従来の冷却室１０６の構成では冷却器下部の背面側が目詰まりしやすい傾向にある。
【０００９】
本発明は、上記従来の課題を解決するものであり、霜が付着した場合でも冷却性能を維持できる冷蔵庫を提供することを目的とする。
【課題を解決するための手段】
【００１０】
上記従来の課題を解決するために、本発明の冷蔵庫は、冷蔵温度帯の冷蔵室と、冷凍温度帯の冷凍室と、前記冷凍室内に設けた冷却室と、前記冷却室内に収納される冷却器と冷却ファンと、前記冷却ファンによる冷気を前記冷凍室に吐出する冷凍吐出風路と、前記冷凍室を冷却した戻り空気を前記冷却器前面下部から吸い込むべく前記冷却室の前面に構成した冷凍戻り風路と、前記冷却ファンによる冷気を前記冷蔵室に吐出する冷蔵吐出風路と、前記冷蔵室を冷却した戻り空気を前記冷却器の側面で前記冷却器の高さ方向の中央より下方から吸い込むべく前記冷却室の側面に構成した冷蔵戻り風路とを備えるとともに、前記冷却器の下端から前記冷却器の高さ方向の中央より上方まで前記冷却室と前記冷却器の間に隙間を構成したバイパス風路を前記冷却器の前面及び背面に備えたもので、前記冷却器は、上下方向に分割したフィンと配管とを備え、前記バイパス風路の上端部は分割して独立した前記フィンの高さ方向の略中央とし、前記冷凍室からの戻り空気は、前記冷却器の前面側のバイパス風路を流れ、前記冷蔵室からの戻り空気は、前記冷却器の背面側のバイパス風路を流れ、前記冷却器の背面側のバイパス風路の高さ寸法が前記冷却器の前面側のバイパス風路の高さ寸法よりも大きく、前記冷却器の背面側のバイパス風路の奥行寸法が前記冷却器の前面側のバイパス風路の奥行寸法よりも大きいことを特徴とする。
【００１１】
これにより、冷却器のフィン間で霜の付着量が多くなり、目詰まりすることを防ぎ、冷蔵庫の冷却性能低下を抑制することができる。
【発明の効果】
【００１２】
本発明の冷蔵庫は、冷却器のフィン間での霜の目詰まりを防ぎ、冷却性能低下を抑制することができ、冷却性能の高い冷蔵庫を提供することができる。
【図面の簡単な説明】
【００１３】
【図１】本発明の実施の形態における冷蔵庫の断面図
【図２】同実施の形態の冷蔵庫の冷却室の断面図
【図３】同実施の形態の冷蔵庫の冷却室の正面図
【図４】従来の冷蔵庫の断面図
【図５】従来の冷蔵庫の冷却室の断面図
【図６】従来の冷蔵庫の冷却室の正面図
【発明を実施するための形態】
【００１４】
以下、本発明の実施の形態について、図面を参照しながら説明する。なお、この実施の形態によってこの発明が限定されるものではない。
【００１５】
（実施の形態１）
図１は本発明の実施の形態における冷蔵庫の断面図である。図２は同実施の形態の冷蔵庫の冷却室の断面図である。図３は同実施の形態の冷蔵庫の冷却室の正面図である。
【００１６】
図１ないし図３において、冷蔵庫１は、冷蔵温度帯の冷蔵室３と、冷凍温度帯の冷凍室２と、冷凍室２の背面に配置した冷却室１１と、冷却室１１内に収納される冷却器４と冷却ファン５と、冷却ファン５による冷気を冷凍室２に吐出する冷凍吐出風路７と、冷凍室２を冷却した戻り空気を冷却器４前面下部から吸い込むべく冷却室１１の前面に構成した冷凍戻り風路８と、冷却ファン５による冷気を冷蔵室３に吐出する冷蔵吐出風路９と、冷蔵室３を冷却した戻り空気を冷却器４の側面で冷却器４の高さ方向の中央より下方から吸い込むべく冷却室１１の側面に構成した冷蔵戻り風路１０とを備えている。
【００１７】
また、冷却室１１は内部に冷却器４及び冷却ファン５を収納し、前面壁１１ａと背面壁１１ｂとで冷却器４を挟み込むように風路を構成している。
【００１８】
そして、前面壁１１ａ及び背面壁１１ｂはそれぞれ、上部が冷却器４と密着し、下部に冷却器４と隙間を空けた前面バイパス風路１２ａ及び背面バイパス風路１２ｂを構成しており、密着している面と前面バイパス風路１２ａ及び背面バイパス風路１２ｂの境界（バイパス風路の上端部）は、冷却器４の上下方向中央よりも上で且つ、分割された１列のフィン４ｂの高さ方向の中央近傍となっている。
【００１９】
また、前面壁１１ａに構成した前面バイパス風路１２ａの高さ寸法Ｈａに対して、背面壁１１ｂに構成した背面バイパス風路１２ｂの高さ寸法Ｈｂを高く設定している。
【００２０】
さらに、前面バイパス風路１２ａの奥行寸法Ｄａに対して、背面バイパス風路１２ｂの奥行寸法Ｄｂを大きく設定している。
【００２１】
また、前面バイパス風路１２ａの入口部の位置（高さ）を背面バイパス風路１２ｂの入口部の位置（高さ）より高く設定している。
【００２２】
また、冷蔵戻り風路１０の下端と背面バイパス風路１２ｂの下端とは略同一高さの位置に設定し、冷却器４の下端とも略同一高さとしている。以上のように構成された冷蔵庫について、以下その動作を説明する。
【００２３】
冷蔵庫１の運転時、冷却器４によって生成された冷気は、冷却ファン５により冷凍吐出風路７及び冷蔵吐出風路９を通り冷凍室２及び冷蔵室３へと送られ、各室を冷却する。そして各室を冷却した冷気は、冷凍戻り風路８及び冷蔵戻り風路１０から冷却器４へと導かれ、再び冷却ファン５により各室へ送られることにより、冷気を循環させつつ各室を所定の温度に冷却する。
【００２４】
この際、戻り空気に含まれる水蒸気は、温度の低い冷却器４の入口である下面に凝縮、凍結し、霜として付着する。そしてこの霜が成長すると、冷却器４のフィン４ｂどうしの隙間が霜により狭くなり、風路の圧力損失が大きくなり冷却ファン５による冷気が各室へ流れにくくなり冷却性能が低下する。
【００２５】
さらに、外気の湿度が高い場合などには、扉の開閉により戻り空気の湿度がさらに高くなった場合には隙間が閉塞してしまい、極端に冷却性能が低下することがあった。
【００２６】
しかしながら、本実施の形態では、前面バイパス風路１２ａ及び背面バイパス風路１２ｂを冷却器４の上下方向の半分以上設けたことにより、戻り空気による霜は、冷却器４の下面だけでなく、冷凍室２からの戻り空気に対しては前面、冷蔵室３からの戻り空気に対しては背面にも付着する。
【００２７】
これにより、霜が付着する面積を大きくすることができ、より多くの霜が冷却器４に付着しても風路の圧力損失になることは無く、閉塞するまでの余裕度も大きくなる。
【００２８】
従って、冷蔵庫の冷却性能低下を抑制することができ、冷却性能の高い冷蔵庫とすることができる。
【００２９】
また、通常使用においては、貯蔵物の出し入れなどにより、使用者は冷凍室２よりも冷蔵室３の扉をより多く開閉する。従って冷凍室２からの戻り空気よりも冷蔵室３からの戻り空気がより湿度が高くなる傾向にあり、冷却器４の背面側の霜の付着量がより多くなり、閉塞しやすくなる。
【００３０】
しかしながら、本実施の形態によれば、前面バイパス風路１２ａよりも、背面バイパス風路１２ｂの方が、高さが高く、奥行きも広くなっている。これにより、背面バイパス風路１２ｂに、より多くの霜が付着しても閉塞しにくくなっている。
【００３１】
これにより、より霜の付着量が多い冷蔵室３からの戻り空気に対して霜が付着する面積を大きくすることができ、より多くの霜が冷却器４に付着しても風路の圧力損失になることは無く、閉塞するまでの余裕度も大きくなる。
【００３２】
従って、冷蔵庫の冷却性能低下を抑制することができ、より冷却性能の高い冷蔵庫とすることができる。
【００３３】
また、本実施の形態においては、冷却器４を、配管４ａと、配管と直交するように設けた上下に分割されたフィン４ｂで構成している。
【００３４】
一般的に、冷蔵庫運転中、冷却器４に付着した霜を、例えば伝熱式のヒーター（図示せず）などにより溶かす除霜運転を行うことにより、長時間の運転でも冷却器４のフィン４ｂ間が閉塞しないようにしている。
【００３５】
この時、霜が溶けた後の水は、フィン４ｂの下端に水滴となって溜まりやすい。また、前面バイパス風路１２ａ及び背面バイパス風路１２ｂを構成した場合には、その上端の角部にも水滴が溜まりやすくなる。この構成で、フィン４ｂの下端と前面バイパス風路１２ａ、背面バイパス風路１２ｂの上端が同じ高さにあると、水滴と水滴が結合し、より大きな水滴となり、冷却器４が冷却運転により温度低下した際には水滴が再氷結し、氷によりフィン４ｂの下端が閉塞してしまう。
【００３６】
しかしながら、本実施の形態によれば、前面バイパス風路１２ａ、背面バイパス風路１２ｂの上端はフィン４ｂの中央近傍の高さにあり、フィン４ｂの下端と前面バイパス風路１２ａ、背面バイパス風路１２ｂの上端が同じ高さになることはない。
【００３７】
これにより、除霜運転により生じた水滴により、フィン４ｂの下端が閉塞することはない。
【００３８】
従って、冷蔵庫の冷却性能低下を抑制することができ、より冷却性能の高い冷蔵庫とすることができる。
【００３９】
尚、本実施の形態において、バイパス風路の奥行きの絶対値の規定はしていないが、隣り合うフィン間の距離よりも狭くすることにより、パイパス風路よりも冷却器を空気が流れやすくなり、霜が付着していない時の冷却性能を高めることができる。
【００４０】
また、本実施の形態において、冷却器の冷却方法は規定していないが、圧縮機を用いた冷媒圧縮式冷凍サイクル、ペルチェ式など、いかなる冷却方式でも同様の効果が得られる。
【００４１】
また、本実施の形態においては、冷凍温度帯の冷凍室と冷蔵温度帯の冷蔵室を備えた冷蔵庫で説明したが、例えば冷凍室のみを複数備えた冷蔵庫においても、より扉の開閉頻度が高くなる貯蔵室からの戻り空気が流れるバイパス風路の高さを高く、奥行きを広くすることにより、同様の効果が得られる。
【００４２】
また、本実施の形態では、バイパス風路の幅については説明しなかったが、バイパスの幅をフィンのある領域の幅よりも狭くすることで、戻り空気がフィン部のみを流れ、冷却性能をより高めることができる。
【００４３】
また、本実施の形態では、冷却室１１を冷凍室２の背部に配置するとして説明したが、冷却室１１の高さ位置に関係なく、戻り風路構成が同じ冷却室においては同様の効果が得られる。
【産業上の利用可能性】
【００４４】
本発明は、冷却器の前面側及び背面側にバイパス風路を設けた冷蔵庫であって、霜の付着に対して冷却性能の高い冷蔵庫を提供することができるので、家庭用及び業務用など様々な種類及び大きさの冷蔵庫等として有用である。
【符号の説明】
【００４５】
１      冷蔵庫
２      冷凍室
３      冷蔵室
４      冷却器
４ａ      配管
４ｂ      フィン
５      冷却ファン
７      冷凍吐出風路
８      冷凍戻り風路
９      冷蔵吐出風路
１０      冷蔵戻り風路
１１      冷却室
１２ａ      前面バイパス風路
１２ｂ      背面バイパス風路
【図１】
2018091622.tif 000003
【図２】
2018091622.tif 000004
【図３】
2018091622.tif 000005
【図４】
2018091622.tif 000006
【図５】
2018091622.tif 000007
【図６】
2018091622.tif 000008
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
冷蔵室と、冷凍室と、冷気を生成するための冷却器を収納する冷却室とを少なくとも有し、前記冷却器の前面と前記冷却室を構成する壁との間が、前記冷凍室からの戻り空気を前記冷却器に吸い込むための第１の風路として利用され、前記冷却器の背面と前記冷却室を構成する壁との間が、前記冷蔵室からの戻り空気を前記冷却器に吸い込むための第２の風路として利用される冷蔵庫であって、
前記第２の風路の高さ寸法が前記第１の風路の高さ寸法よりも大きく、かつ、前記第２の風路の奥行寸法が前記第１の風路の奥行寸法よりも大きいことを特徴とする冷蔵庫。
【請求項２】
冷蔵室と、冷凍室と、冷気を生成するための冷却器を収納する冷却室とを少なくとも有し、前記冷却器の前面と前記冷却室を構成する壁との間が、前記冷凍室からの戻り空気を前記冷却器に吸い込むための第１の風路として利用され、前記冷却器の背面と前記冷却室を構成する壁との間が、前記冷蔵室からの戻り空気を前記冷却器に吸い込むための第２の風路として利用される冷蔵庫であって、
前記第２の風路の上端の位置が前記第１の風路の上端よりも高く、かつ、前記第２の風路の入口部の位置が前記第１の風路の入口部の位置よりも低く、かつ、前記第２の風路の奥行寸法が前記第１の風路の奥行寸法よりも大きいことを特徴とする冷蔵庫。
【請求項３】
前記冷凍室からの戻り空気を前記冷却室の下部に導く冷凍戻り風路が、前記冷却室の前面側に設けられることを特徴とする請求項１又は２に記載の冷蔵庫。
【請求項４】
前記冷蔵室からの戻り空気を前記冷却室の下部に導く冷蔵戻り風路が、前記冷却室の側面側に設けられることを特徴とする請求項１から３のいずれか１項に記載の冷蔵庫。
【請求項５】
前記冷蔵庫の最上段に前記冷蔵室が設けられ、前記冷蔵室の下方に前記冷凍室が設けられることを特徴とする請求項１から４のいずれか１項に記載の冷蔵庫。
【請求項６】
前記冷却室は、前記冷凍室の背面に設けられることを特徴とする請求項１から５のいずれか１項に記載の冷蔵庫。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記従来の課題を解決するために、本発明の冷蔵庫は、冷蔵室と、冷凍室と、冷気を生成するための冷却器を収納する冷却室とを少なくとも有し、前記冷却器の前面と前記冷却室を構成する壁との間が、前記冷凍室からの戻り空気を前記冷却器に吸い込むための第１の風路として利用され、前記冷却器の背面と前記冷却室を構成する壁との間が、前記冷蔵室からの戻り空気を前記冷却器に吸い込むための第２の風路として利用される冷蔵庫であって、前記第２の風路の高さ寸法が前記第１の風路の高さ寸法よりも大きく、かつ、前記第２の風路の奥行寸法が前記第１の風路の奥行寸法よりも大きいことを特徴とする。
また、本発明の冷蔵庫は、冷蔵室と、冷凍室と、冷気を生成するための冷却器を収納する冷却室とを少なくとも有し、前記冷却器の前面と前記冷却室を構成する壁との間が、前記冷凍室からの戻り空気を前記冷却器に吸い込むための第１の風路として利用され、前記冷却器の背面と前記冷却室を構成する壁との間が、前記冷蔵室からの戻り空気を前記冷却器に吸い込むための第２の風路として利用される冷蔵庫であって、前記第２の風路の上端の位置が前記第１の風路の上端よりも高く、かつ、前記第２の風路の入口部の位置が前記第１の風路の入口部の位置よりも低く、かつ、前記第２の風路の奥行寸法が前記第１の風路の奥行寸法よりも大きいことを特徴とする。
【手続補正５】
【補正対象書類名】明細書
【補正対象項目名】００１１
【補正方法】削除
【補正の内容】